(57)【要約】【課題】撮影系とは独立に設けられるファインダーであって、小型、広画角で、高変倍が可能な実像式変倍ファインダーを提供する。【解決手段】この発明の実像式変倍ファインダーは、物体側から順に、中間像を形成するための対物光学系、像反転光学系、および中間像を観察するための接眼光学系が配置されて構成される。対物光学系は、物体側から順に、正の屈折力を有するレンズからなる第１レンズ群ＧＲ1、負の屈折力を有するレンズからなる第２レンズ群ＧＲ2、正の屈折力を有するレンズからなる第３レンズ群ＧＲ3、および正の屈折力を有するレンズからなる第４レンズ群ＧＲ4が配置されて構成される。そして、対物光学系を構成する各レンズ群が所定の条件を満足することにより、小型、広画角で、高変倍が可能な実像式変倍ファインダーを実現できる。【選択図】図１
2009186675.tif 000002
【特許請求の範囲】
【請求項１】
物体側から順に、中間像を形成するための対物光学系と、像反転光学系と、前記中間像を観察するための接眼光学系と、が配置されて構成されたファインダーであって、
前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、
前記第２レンズ群および前記第３レンズ群を光軸に沿って移動させることにより、変倍および変倍に伴う視度変化の補正を行い、
前記対物光学系の全長（前記第１レンズ群の最も前記物体側面から前記第４レンズ群の最も前記接眼光学系側の面までの長さ）をＬ、広角端における画角をωwとするとき、以下の条件式を満足することを特徴とする実像式変倍ファインダー。
（１）  Ｌ／ωw＜０．６１
【請求項２】
前記対物光学系の広角端における焦点距離をｆw、最も前記物体側のレンズの有効半径をＡとするとき、以下の条件式を満足することを特徴とする請求項１に記載の実像式変倍ファインダー。
（２）  ｆw／Ａ＜０．８５
【請求項３】
前記第２レンズ群の焦点距離をｆ2、前記第３レンズ群の焦点距離をｆ3、広角端から中間端に至るまでの前記第２レンズ群の移動量をＤ2m、広角端から中間端に至るまでの前記第３レンズ群の移動量をＤ3m、広角端から望遠端に至るまでの前記第２レンズ群の移動量をＤ2t、広角端から望遠端に至るまでの前記第３レンズ群の移動量をＤ3tとするとき、以下の条件式を満足することを特徴とする請求項１または２に記載の実像式変倍ファインダー。
（３）  １／（ｆ2×Ｄ2m）＜−０．０９
（４）  １／（ｆ2×Ｄ2t）＜−０．０５
（５）  １／（ｆ3×Ｄ3m）＞０．０２１
（６）  １／（ｆ3×Ｄ3t）＞０．０１６
【請求項４】
前記対物光学系の広角端における焦点距離をｆw、前記第１レンズ群の焦点距離をｆ1、広角端から望遠端に至るまでの前記第２レンズ群の移動量をＤ2tとするとき、以下の条件式を満足することを特徴とする請求項１〜３のいずれか一つに記載の実像式変倍ファインダー。
（７）  （ｆ1×Ｄ2t）／ｆw＜２３
【請求項５】
広角端から望遠端に至るまでの前記第２レンズ群の移動量をＤ2t、前記対物光学系の全長（前記第１レンズ群の最も前記物体側面から前記第４レンズ群の最も前記接眼光学系側の面までの長さ）をＬとするとき、以下の条件式を満足することを特徴とする請求項１〜４のいずれか一つに記載の実像式変倍ファインダー。
（８）  Ｄ2t／Ｌ＜０．４
【請求項６】
物体側から順に、中間像を形成するための対物光学系と、像反転光学系と、前記中間像を観察するための接眼光学系と、が配置されて構成されたファインダーであって、
前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、
前記第２レンズ群および前記第３レンズ群を光軸に沿って移動させることにより、変倍および変倍に伴う視度変化の補正を行い、
前記対物光学系の広角端における焦点距離をｆw、最も前記物体側のレンズの有効半径をＡとするとき、以下の条件式を満足することを特徴とする実像式変倍ファインダー。
（２）  ｆw／Ａ＜０．５
【請求項７】
物体側から順に、中間像を形成するための対物光学系と、像反転光学系と、前記中間像を観察するための接眼光学系と、が配置されて構成されたファインダーであって、
前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、
前記第２レンズ群および前記第３レンズ群を光軸に沿って移動させることにより、変倍および変倍に伴う視度変化の補正を行い、
前記第２レンズ群の焦点距離をｆ2、前記第３レンズ群の焦点距離をｆ3、広角端から中間端に至るまでの前記第２レンズ群の移動量をＤ2m、広角端から中間端に至るまでの前記第３レンズ群の移動量をＤ3m、広角端から望遠端に至るまでの前記第２レンズ群の移動量をＤ2t、広角端から望遠端に至るまでの前記第３レンズ群の移動量をＤ3tとするとき、以下の条件式を満足することを特徴とする実像式変倍ファインダー。
（３）  １／（ｆ2×Ｄ2m）＜−０．０９
（４）  １／（ｆ2×Ｄ2t）＜−０．０５
（５）  １／（ｆ3×Ｄ3m）＞０．０２１
（６）  １／（ｆ3×Ｄ3t）＞０．０１６
【請求項８】
物体側から順に、中間像を形成するための対物光学系と、像反転光学系と、前記中間像を観察するための接眼光学系と、が配置されて構成されたファインダーであって、
前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、
前記第２レンズ群および前記第３レンズ群を光軸に沿って移動させることにより、変倍および変倍に伴う視度変化の補正を行い、
前記対物光学系の広角端における焦点距離をｆw、前記第１レンズ群の焦点距離をｆ1、広角端から望遠端に至るまでの前記第２レンズ群の移動量をＤ2tとするとき、以下の条件式を満足することを特徴とする実像式変倍ファインダー。
（７）  （ｆ1×Ｄ2t）／ｆw＜２３
【請求項９】
物体側から順に、中間像を形成するための対物光学系と、像反転光学系と、前記中間像を観察するための接眼光学系と、が配置されて構成されたファインダーであって、
前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、
前記第２レンズ群および前記第３レンズ群を光軸に沿って移動させることにより、変倍および変倍に伴う視度変化の補正を行い、
広角端から望遠端に至るまでの前記第２レンズ群の移動量をＤ2t、前記対物光学系の全長（前記第１レンズ群の最も前記物体側面から前記第４レンズ群の最も前記接眼光学系側の面までの長さ）をＬとするとき、以下の条件式を満足することを特徴とする実像式変倍ファインダー。
（８）  Ｄ2t／Ｌ＜０．４
【請求項１０】
広角端から望遠端への変倍の際、前記第３レンズ群が、一度像側に移動した後前記物体側に戻るＵターン軌跡を描くことを特徴とする請求項１〜９のいずれか一つに記載の実像式変倍ファインダー。
【発明の詳細な説明】
【技術分野】
【０００１】
この発明は、デジタルスチルカメラなどにおいて撮影系とは独立に設けられる実像式変倍ファインダーに関する。
【背景技術】
【０００２】
近年、デジタルスチルカメラに用いられる撮影系は、広画角化、高変倍化と同時に小型化が促進されている。これに伴い、デジタルスチルカメラに装備されるファインダーも撮影系に対応した広画角化、高変倍比かつ小型化が求められる。このような変倍ファインダーとしては、対物光学系で形成した物体像を像反転光学系で正立像とし、これを接眼光学系で観察する、いわゆる実像式の変倍ファインダーが知られている（たとえば、下記特許文献１〜６を参照。）。
【０００３】
【特許文献１】特許第２５３８５２５号公報
【特許文献２】特許第２５８６５２０号公報
【特許文献３】特開２００７−２０６１６４号公報
【特許文献４】特許第３０８２０７号公報
【特許文献５】特許第３３８４８９３号公報
【特許文献６】特開２００５−１６４９９３号公報
【発明の開示】
【発明が解決しようとする課題】
【０００４】
ファインダーにおいて、変倍が可能で、変倍による結像位置を一定に保つためには、使用する各々のレンズの屈折力を固定とした場合、少なくとも２つのレンズ群が必要である。加えて、小型化の促進という観点からは、ファインダーのスラスト方向（光軸方向）の寸法が短く、高さ方向（光軸に垂直な方向）の厚みがより薄くなっているものが望ましい。
【０００５】
上記特許文献１，２に記載のファインダーは、対物光学系の第１レンズ群、第２レンズ群をそれぞれ凹レンズ、凸レンズで構成している。このような構成では、用いるレンズの枚数を少なくすることはできる。しかしながら、高変倍の撮影系に対応させるために高い変倍比を得ようとすると、変倍のためのレンズの移動量が増大し、スラスト方向の寸法が長くなってしまう。また、画角を大きくしようとすると、前記第１レンズ群が凹レンズで構成されているため、そのレンズ径が大きくなってしまい高さ方向の厚みが増すことになる。したがって、かかる構成のファインダーでは、小型化を図ることが困難であるという問題がある。
【０００６】
また、上記特許文献３〜６に記載のファインダーでは、変倍のための可動レンズが３群以上になっているため、各レンズの間隔や各レンズの移動スペースを確保しなくてはならないため、やはりスラスト方向の寸法が長くなり、小型化を図ることが困難である。
【０００７】
この発明は、上述した従来技術による問題点を解消するため、撮影系とは独立に設けられるファインダーであって、小型、広画角で、高変倍が可能な実像式変倍ファインダーを提供することを目的とする。
【課題を解決するための手段】
【０００８】
上述した課題を解決し、目的を達成するため、請求項１の発明にかかる実像式変倍ファインダーは、物体側から順に、中間像を形成するための対物光学系と、像反転光学系と、前記中間像を観察するための接眼光学系と、が配置されて構成されたファインダーであって、前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、前記第２レンズ群および前記第３レンズ群を光軸に沿って移動させることにより、変倍および変倍に伴う視度変化の補正を行い、前記対物光学系の全長（前記第１レンズ群の最も前記物体側面から前記第４レンズ群の最も前記接眼光学系側の面までの長さ）をＬ、広角端における画角をωwとするとき、以下の条件式を満足することを特徴とする。
（１）  Ｌ／ωw＜０．６１
【０００９】
この請求項１に記載の発明によれば、ファインダーの全長を短くして画角を広くとることができる。
【００１０】
また、請求項２の発明にかかる実像式変倍ファインダーは、請求項１に記載の発明において、前記対物光学系の広角端における焦点距離をｆw、最も前記物体側のレンズの有効半径をＡとするとき、以下の条件式を満足することを特徴とする。
（２）  ｆw／Ａ＜０．８５
【００１１】
この請求項２に記載の発明によれば、請求項１に記載の発明の効果に加え、前記対物光学系の前玉径を小さくして画角を広くとることができる。
【００１２】
また、請求項３の発明にかかる実像式変倍ファインダーは、請求項１または２に記載の発明において、前記第２レンズ群の焦点距離をｆ2、前記第３レンズ群の焦点距離をｆ3、広角端から中間端に至るまでの前記第２レンズ群の移動量をＤ2m、広角端から中間端に至るまでの前記第３レンズ群の移動量をＤ3m、広角端から望遠端に至るまでの前記第２レンズ群の移動量をＤ2t、広角端から望遠端に至るまでの前記第３レンズ群の移動量をＤ3tとするとき、以下の条件式を満足することを特徴とする。
（３）  １／（ｆ2×Ｄ2m）＜−０．０９
（４）  １／（ｆ2×Ｄ2t）＜−０．０５
（５）  １／（ｆ3×Ｄ3m）＞０．０２１
（６）  １／（ｆ3×Ｄ3t）＞０．０１６
【００１３】
この請求項３に記載の発明によれば、請求項１または２に記載の発明の効果に加え、変倍時の前記第２レンズ群および前記第３レンズ群の移動量を抑制し、高変倍化を実現することができる。したがって、よりファインダーの小型化が促進される。
【００１４】
また、請求項４の発明にかかる実像式変倍ファインダーは、請求項１〜３のいずれか一つに記載の発明において、前記対物光学系の広角端における焦点距離をｆw、前記第１レンズ群の焦点距離をｆ1、広角端から望遠端に至るまでの前記第２レンズ群の移動量をＤ2tとするとき、以下の条件式を満足することを特徴とする。
（７）  （ｆ1×Ｄ2t）／ｆw＜２３
【００１５】
この請求項４に記載の発明によれば、請求項１〜３のいずれか一つに記載の発明に効果に加え、より変倍時の前記第２レンズ群の移動量を抑制し、ファインダーの小型化を達成できる。
【００１６】
また、請求項５の発明にかかる実像式変倍ファインダーは、請求項１〜４のいずれか一つに記載の発明において、広角端から望遠端に至るまでの前記第２レンズ群の移動量をＤ2t、前記対物光学系の全長（前記第１レンズ群の最も前記物体側面から前記第４レンズ群の最も前記接眼光学系側の面までの長さ）をＬとするとき、以下の条件式を満足することを特徴とする。
（８）  Ｄ2t／Ｌ＜０．４
【００１７】
この請求項５に記載の発明によれば、請求項１〜４のいずれか一つに記載の発明の効果に加え、より変倍時の前記第２レンズ群の移動量を抑制し、光学系の小型化を達成できる。
【００１８】
また、請求項６の発明にかかる実像式変倍ファインダーは、物体側から順に、中間像を形成するための対物光学系と、像反転光学系と、前記中間像を観察するための接眼光学系と、が配置されて構成されたファインダーであって、前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、前記第２レンズ群および前記第３レンズ群を光軸に沿って移動させることにより、変倍および変倍に伴う視度変化の補正を行い、前記対物光学系の広角端における焦点距離をｆw、最も前記物体側のレンズの有効半径をＡとするとき、以下の条件式を満足することを特徴とする。
（２）  ｆw／Ａ＜０．８５
【００１９】
この請求項６に記載の発明によれば、前記対物光学系の前玉径を小さくして画角を広くとることができる。
【００２０】
また、請求項７の発明にかかる実像式変倍ファインダーは、物体側から順に、中間像を形成するための対物光学系と、像反転光学系と、前記中間像を観察するための接眼光学系と、が配置されて構成されたファインダーであって、前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、前記第２レンズ群および前記第３レンズ群を光軸に沿って移動させることにより、変倍および変倍に伴う視度変化の補正を行い、前記第２レンズ群の焦点距離をｆ2、前記第３レンズ群の焦点距離をｆ3、広角端から中間端に至るまでの前記第２レンズ群の移動量をＤ2m、広角端から中間端に至るまでの前記第３レンズ群の移動量をＤ3m、広角端から望遠端に至るまでの前記第２レンズ群の移動量をＤ2t、広角端から望遠端に至るまでの前記第３レンズ群の移動量をＤ3tとするとき、以下の条件式を満足することを特徴とする。
（３）  １／（ｆ2×Ｄ2m）＜−０．０９
（４）  １／（ｆ2×Ｄ2t）＜−０．０５
（５）  １／（ｆ3×Ｄ3m）＞０．０２１
（６）  １／（ｆ3×Ｄ3t）＞０．０１６
【００２１】
この請求項７に記載の発明によれば、変倍時の前記第２レンズ群および前記第３レンズ群の移動量を抑制し、高変倍化を実現することができる。
【００２２】
また、請求項８の発明にかかる実像式変倍ファインダーは、物体側から順に、中間像を形成するための対物光学系と、像反転光学系と、前記中間像を観察するための接眼光学系と、が配置されて構成されたファインダーであって、前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、前記第２レンズ群および前記第３レンズ群を光軸に沿って移動させることにより、変倍および変倍に伴う視度変化の補正を行い、前記対物光学系の広角端における焦点距離をｆw、前記第１レンズ群の焦点距離をｆ1、広角端から望遠端に至るまでの前記第２レンズ群の移動量をＤ2tとするとき、以下の条件式を満足することを特徴とする。
（７）  （ｆ1×Ｄ2t）／ｆw＜２３
【００２３】
この請求項８に記載の発明によれば、変倍時の前記第２レンズ群の移動量を抑制し、ファインダーの小型化を達成できる。
【００２４】
また、請求項９の発明にかかる実像式変倍ファインダーは、物体側から順に、中間像を形成するための対物光学系と、像反転光学系と、前記中間像を観察するための接眼光学系と、が配置されて構成されたファインダーであって、前記対物光学系は、前記物体側から順に配置された、正の屈折力を有する第１レンズ群と、負の屈折力を有する第２レンズ群と、正の屈折力を有する第３レンズ群と、正の屈折力を有する第４レンズ群と、を備えており、前記第２レンズ群および前記第３レンズ群を光軸に沿って移動させることにより、変倍および変倍に伴う視度変化の補正を行い、広角端から望遠端に至るまでの前記第２レンズ群の移動量をＤ2t、前記対物光学系の全長（前記第１レンズ群の最も前記物体側面から前記第４レンズ群の最も前記接眼光学系側の面までの長さ）をＬとするとき、以下の条件式を満足することを特徴とする。
（８）  Ｄ2t／Ｌ＜０．４
【００２５】
この請求項９に記載の発明によれば、変倍時の前記第２レンズ群の移動量を抑制し、光学系の小型化を達成できる。
【００２６】
また、請求項１０の発明にかかる実像式変倍ファインダーは、請求項１〜９のいずれか一つに記載の発明において、広角端から望遠端への変倍の際、前記第３レンズ群が、一度像側に移動した後前記物体側に戻るＵターン軌跡を描くことを特徴とする。
【００２７】
この請求項１０に記載の発明によれば、請求項１〜９のいずれか一つに記載の発明の効果に加え、前記第３レンズ群の移動範囲を狭くして、ファインダーの小型化を図ることができる。
【発明の効果】
【００２８】
この発明にかかる実像式変倍ファインダーは、小型、広画角で、高変倍が可能であるという効果を奏する。加えて、構成が簡易でありながら、高い高額性能が得られるという効果を奏する。
【発明を実施するための最良の形態】
【００２９】
以下、添付図面を参照して、この発明にかかる実像式変倍ファインダーの好適な実施の形態を詳細に説明する。
【００３０】
この実施の形態にかかる実像式変倍ファインダーは、物体側から順に、中間像を形成するための対物光学系と、像反転光学系と、前記中間像を観察するための接眼光学系と、が配置されて構成される。前記対物光学系は、物体側から順に配置された、正の屈折力を有する第１レンズ群と、負の屈折力を有する第２レンズ群と、正の屈折力を有する第３レンズ群と、正の屈折力を有する第４レンズ群と、を備えている。そして、前記第２レンズ群および前記第３レンズ群を光軸に沿って移動させることにより、変倍および変倍に伴う視度変化の補正を行う。前記第１レンズ群および前記第３レンズ群は、固定されている。
【００３１】
この発明は、小型、広画角で、高変倍が可能であるとともに、優れた光学性能を備えた実像式変倍ファインダーを提供することを目的としている。そこで、この発明では、上記構成に加えて以下の条件を設定している。
【００３２】
まず、この実施の形態にかかる実像式変倍ファインダーでは、前記対物光学系の全長（前記第１レンズ群の最も前記物体側面から前記第４レンズ群の最も前記接眼光学系側の面までの長さ）をＬ、広角端における画角をωwとするとき、次の条件式を満足することが好ましい。
（１）  Ｌ／ωw＜０．６１
【００３３】
条件式（１）は、この実施の形態の実像式変倍ファインダーにおける、前記対物光学系の全長と広角端における画角との比率を規定し、光学系全長を短くして画角を広くとるための条件を示す式である。この条件式（１）においてその上限を越えると、ファインダーの小型化と広画角化とを両立できなくなるため、好ましくない。
【００３４】
また、この実施の形態にかかる実像式変倍ファインダーにおいて、前記対物光学系の広角端における焦点距離をｆw、最も前記物体側のレンズの有効半径をＡとするとき、次の条件式を満足することが好ましい。
（２）  ｆw／Ａ＜０．８５
【００３５】
条件式（２）は、この実施の形態の実像式変倍ファインダーにおける、前記対物光学系の広角端における焦点距離と最も前記物体側のレンズの有効半径との比率を規定し、前記対物光学系の前玉径を小さくして画角を広くとるための条件を示す式である。この条件式（２）においてその上限を越えると、前記対物光学系の前玉径の小型化と広画角化とを両立できなくなるため、好ましくない。
【００３６】
また、この実施の形態にかかる実像式変倍ファインダーにおいて、前記第２レンズ群の焦点距離をｆ2、前記第３レンズ群の焦点距離をｆ3、広角端から中間端に至るまでの前記第２レンズ群の移動量をＤ2m、広角端から中間端に至るまでの前記第３レンズ群の移動量をＤ3m、広角端から望遠端に至るまでの前記第２レンズ群の移動量をＤ2t、広角端から望遠端に至るまでの前記第３レンズ群の移動量をＤ3tとするとき、次の各条件式を満足することが好ましい。
（３）  １／（ｆ2×Ｄ2m）＜−０．０９
（４）  １／（ｆ2×Ｄ2t）＜−０．０５
（５）  １／（ｆ3×Ｄ3m）＞０．０２１
（６）  １／（ｆ3×Ｄ3t）＞０．０１６
【００３７】
条件式（３）は、前記第２レンズ群のパワーと広角端から中間端に至るまでの前記第２レンズ群の移動量とのバランスを規定する式である。同様に、条件式（４）は、前記第２レンズ群のパワーと広角端から望遠端に至るまでの前記第２レンズ群の移動量とのバランスを規定する式である。条件式（５）は、前記第３レンズ群のパワーと広角端から中間端に至るまでの前記第３レンズ群の移動量とのバランスを規定する式である。条件式（５）は、前記第３レンズ群のパワーと広角端から望遠端に至るまでの前記第３レンズ群の移動量とのバランスを規定する式である。これらの条件式（３）〜（６）を満足することで、変倍時の前記第２レンズ群および前記第３レンズ群の移動量を抑制し、高変倍化を実現することができる。すなわち、ファインダーの小型化と高変倍化とを両立することができる。もし、条件式（３）〜（６）において、それら一つでも上限を超えるか下限を下回るかすれば、光学系の小型化を図ることができず、好ましくない。
【００３８】
また、この実施の形態にかかる実像式変倍ファインダーでは、前記対物光学系の広角端における焦点距離をｆw、前記第１レンズ群の焦点距離をｆ1、広角端から望遠端に至るまでの前記第２レンズ群の移動量をＤ2tとするとき、次の条件式を満足することが好ましい。
（７）  （ｆ1×Ｄ2t）／ｆw＜２３
【００３９】
条件式（７）は、前記第１レンズ群のパワーと広角端から望遠端に至るまでの前記第２レンズ群の移動量とのバランスを規定する式である。この条件式（７）を満足することで、変倍時の前記第２レンズ群の移動量を抑制し、光学系の小型化を達成できる。もし、この条件式（７）においてその上限を超えると、前記第２レンズ群の移動量が増し、光学系の小型化を図ることができない。
【００４０】
また、この実施の形態にかかる実像式変倍ファインダーでは、広角端から望遠端に至るまでの前記第２レンズ群の移動量をＤ2t、前記対物光学系の全長（前記第１レンズ群の最も前記物体側面から前記第４レンズ群の最も前記接眼光学系側の面までの長さ）をＬとするとき、次の条件式を満足することが好ましい。
（８）  Ｄ2t／Ｌ＜０．４
【００４１】
条件式（８）は、対物光学系の全長に対する、広角端から望遠端に至るまでの前記第２レンズ群の移動量のバランスを規定する式である。この条件式（８）を満足することで、変倍時の前記第２レンズ群の移動量を抑制し、光学系の小型化を達成できる。もし、この条件式（７）においてその上限を超えると、前記第２レンズ群の移動量が増し、光学系の小型化を図ることができない。
【００４２】
また、この実施の形態にかかる実像式変倍ファインダーでは、広角端から望遠端への変倍の際、前記第３レンズ群が、一度像側に移動した後前記物体側に戻るＵターン軌跡を描くようにするとよい。このようにすることで、前記第３レンズ群の移動範囲を狭くして、ファインダーの小型化を図ることができる。
【００４３】
以上説明した各条件を満足することにより、この実施の形態の実像式変倍ファインダーは、小型化、広画角化、高変倍化を図ることができる。
【実施例】
【００４４】
以下、この発明にかかる実像式変倍ファインダーの実施例を示す。
【００４５】
図１は、この発明の実施例にかかる実像式変倍ファインダーの構成を示す光軸に沿う断面図である。この実像式変倍ファインダーは、図示しない物体側から順に、中間像を形成するための対物光学系、像反転光学系、および前記中間像を観察するための接眼光学系が配置されて構成される。
【００４６】
この実施例では、前記対物光学系は、凹レンズと凸２レンズの２群構成の前後にそれぞれ凸レンズを加え、計４群の構成を採用する。すなわち、前記対物光学系は、前記物体側から順に、正の屈折力を有するレンズ（凸レンズ）からなる第１レンズ群ＧＲ1、負の屈折力を有するレンズ（凹レンズ）からなる第２レンズ群ＧＲ2、正の屈折力を有するレンズ（凸レンズ）からなる第３レンズ群ＧＲ3、および正の屈折力を有するレンズ（凸レンズ）からなる第４レンズ群ＧＲ4が配置されて構成される。第１レンズ群ＧＲ1ないし第４レンズ群ＧＲ4は、いずれも両面に非球面が形成されている。
【００４７】
前記像反転光学系は、前記物体側から順に、像反転プリズムＰ1、視野枠ＦＳ、像反転プリズムＰ2が配置されて構成される。
【００４８】
前記接眼光学系は、正の屈折力を有する接眼レンズＳＲ１枚で構成される。この接眼レンズＳＲの両面には非球面が形成されている。
【００４９】
第１レンズ群ＧＲ1および第４レンズ群ＧＲ4は固定されており、第２レンズ群ＧＲ2および第３レンズ群ＧＲ3を光軸に沿って移動させることによって、変倍および変倍に伴う視度変化の補正を行う。特に、広角端から望遠端への変倍の際、第３レンズ群ＧＲ3が、一度像側に移動した後前記物体側に戻るＵターン軌跡を描くようにするとよい。
【００５０】
以下、この実施例にかかる実像式変倍ファインダーにかかる各種数値データを示す。
【００５１】
対物光学系の広角端における焦点距離（ｆw）＝3.09mm
対物光学系の望遠端における焦点距離＝12.96mm
【００５２】
（条件式（１）に関する数値）
対物光学系の全長（第１レンズ群ＧＲ1の最も物体側面から第４レンズ群ＧＲ4の最も接眼光学系側の面までの長さ）Ｌ＝13.697
広角端における画角（ωw）＝34.837
Ｌ／ωw＝0.56（＜0.61）
【００５３】
（条件式（２）に関する数値）
最も物体側のレンズの有効半径（Ａ）＝4.175
ｆw／Ａ＝0.739（＜0.85）
【００５４】
（条件式（３）〜（６）に関する数値）
第２レンズ群ＧＲ2の焦点距離（ｆ2）＝-2.866
第３レンズ群ＧＲ3の焦点距離（ｆ3）＝13.213
広角端から中間端に至るまでの第２レンズ群ＧＲ2の移動量（Ｄ2m）＝3.60
広角端から中間端に至るまでの第３レンズ群ＧＲ3の移動量（Ｄ3m）＝3.431
広角端から望遠端に至るまでの第２レンズ群ＧＲ2の移動量（Ｄ2t）＝5.805
広角端から望遠端に至るまでの第３レンズ群ＧＲ3の移動量（Ｄ3t）＝3.754
１／（ｆ2×Ｄ2m）＝-0.097（＜-0.09）
１／（ｆ2×Ｄ2t）＝-0.06（＜-0.05）
１／（ｆ3×Ｄ3m）＝0.022（＞0.021）
１／|（ｆ3×Ｄ3t）|＝0.020（＞0.016）
【００５５】
（条件式（７）に関する数値）
第１レンズ群ＧＲ1の焦点距離（ｆ1）＝11.9972mm
（ｆ1×Ｄ2t）／ｆw＝22.57（＜23）
【００５６】
（条件式（８）に関する数値）
Ｄ2t／Ｌ＝0.297（＜0.4）
【００５７】
ｒ1＝23.720（非球面）
ｄ1＝2.29    ｎｄ1＝1.49176    νｄ1＝57.4
ｒ2＝-7.648（非球面）
ｄ2＝0.54(広角端)〜4.14(中間端)〜6.34（望遠端）
ｒ3＝-3.024（非球面）
ｄ3＝0.8    ｎｄ2＝1.49176    νｄ2＝57.4
ｒ4＝2.894（非球面）
ｄ4＝2.83(広角端)〜2.66(中間端)〜0.78（望遠端）
ｒ5＝6.437（非球面）
ｄ5＝1.04    ｎｄ3＝1.49176    νｄ3＝57.4
ｒ6＝441.485（非球面）
ｄ6＝4.53(広角端)〜1.10(中間端)〜0.78（望遠端）
ｒ7＝5.123（非球面）
ｄ7＝1.667    ｎｄ4＝1.49176    νｄ4＝57.4
ｒ8＝-4.592（非球面）
ｄ8＝0.52
ｒ9＝∞
ｄ9＝8.2    ｎｄ5＝1.5247    νｄ5＝56.2
ｒ10＝∞
ｄ10＝0.5
ｒ11＝∞（視野枠）
ｄ11＝0.6
ｒ12＝∞
ｄ12＝17    ｎｄ6＝1.5247    νｄ6＝56.2
ｒ13＝∞
ｄ13＝0.95
ｒ14＝15.83（非球面）
ｄ14＝1.37    ｎｄ7＝1.49176    νｄ7＝57.4
ｒ15＝-11.08（非球面）
ｄ15＝15
ｒ16（アイポイント）
【００５８】
円錐係数（Ｋ）および非球面係数（Ａ，Ｂ，Ｃ，Ｄ，Ｅ）
（第１面）
Ｋ＝7.1169，Ａ＝0，
Ｂ＝8.1031×10-4，Ｃ＝6.4958×10-6，
Ｄ＝-2.3594×10-6，Ｅ＝5.7626×10-8
（第２面）
Ｋ＝-5.7598，Ａ＝0，
Ｂ＝4.5797×10-4，Ｃ＝-3.0501×10-6，
Ｄ＝-2.0006×10-6，Ｅ＝7.3112×10-8
（第３面）
Ｋ＝-2.7092，Ａ＝0，
Ｂ＝-5.0643×10-3，Ｃ＝1.1638×10-3，
Ｄ＝3.4062×10-4，Ｅ＝-1.1801×10-4
（第４面）
Ｋ＝0.0218，Ａ＝0，
Ｂ＝-1.2554×10-2，Ｃ＝6.1920×10-3，
Ｄ＝-3.0269×10-3，Ｅ＝5.8956×10-4
（第５面）
Ｋ＝0.0392，Ａ＝0，
Ｂ＝-2.7457×10-3，Ｃ＝1.2287×10-3，
Ｄ＝5.2651×10-4，Ｅ＝-8.0088×10-5
（第６面）
Ｋ＝-99.0000，Ａ＝0，
Ｂ＝-1.3714×10-4，Ｃ＝7.6033×10-4，
Ｄ＝2.3007×10-4，Ｅ＝0
（第７面）
Ｋ＝1.1581，Ａ＝0，
Ｂ＝1.3686×10-3，Ｃ＝-2.5465×10-5，
Ｄ＝-4.0132×10-5，Ｅ＝3.4538×10-6
（第８面）
Ｋ＝0.6993，Ａ＝0，
Ｂ＝6.2519×10-3，Ｃ＝1.7351×10-4，
Ｄ＝-8.7402×10-5，Ｅ＝6.9730×10-6
（第１４面）
Ｋ＝-35.5692，Ａ＝0，
Ｂ＝-3.3310×10-4，Ｃ＝-6.8734×10-5，
Ｄ＝-4.6257×10-6，Ｅ＝4.0917×10-7
（第１５面）
Ｋ＝2.1035，Ａ＝0，
Ｂ＝-8.8336×10-4，Ｃ＝-6.2938×10-6，
Ｄ＝-7.3289×10-6，Ｅ＝4.1290×10-7
【００５９】
なお、上記数値データにおいて、ｒ1，ｒ2，・・・・は各レンズ、プリズムなどの曲率半径、ｄ1，ｄ2，・・・・は各レンズ、プリズムなどの肉厚またはそれらの面間隔、ｎｄ1，ｎｄ2，・・・・は各レンズ、プリズムなどのｄ線屈折率、νｄ1，νｄ2，・・・・は各レンズ、プリズムなどのｄ線アッベ数を示している。
【００６０】
また、上記各非球面形状は、非球面の深さをＺ、光軸と垂直な高さをｙとし、光の進行方向を正とするとき、以下に示す式により表される。
【００６１】
【数１】
2009186675.tif 000003
【００６２】
ただし、Ｒは近軸曲率半径、Ｋは円錐係数、Ａ，Ｂ，Ｃ，Ｄ，Ｅはそれぞれ２次，４次，６次，８次，１０次の非球面係数である。
【００６３】
また、図２は、この発明の実施例にかかる実像式変倍ファインダーの広角端における諸収差図である。図３は、この発明の実施例にかかる実像式変倍ファインダーの中間端における諸収差図である。図４は、この発明の実施例にかかる実像式変倍ファインダーの望遠端における諸収差図である。
【００６４】
以上説明したように、この発明にかかる実像式変倍ファインダーは、簡易な構成で、小型化、広画角化、高変倍化を達成できる。
【００６５】
また、この発明にかかる実像式変倍ファインダーは、非球面が形成されたレンズを含んで構成されているため、少ないレンズ枚数で、諸収差を良好に補正することができる。
【産業上の利用可能性】
【００６６】
以上のように、この発明にかかる実像式変倍ファインダー光学系は、デジタルスチルカメラなどにおいて撮影光学系とは独立に設けられる実像式変倍ファインダー光学系として有用であり、特に、小型、広画角、高変倍が要求されるデジタルスチルカメラなどに好適である。
【図面の簡単な説明】
【００６７】
【図１】この発明の実施例にかかる実像式変倍ファインダーの構成を示す光軸に沿う断面図である。
【図２】この発明の実施例にかかる実像式変倍ファインダーの広角端における諸収差図である。
【図３】この発明の実施例にかかる実像式変倍ファインダーの中間端における諸収差図である。
【図４】この発明の実施例にかかる実像式変倍ファインダーの望遠端における諸収差図である。
【符号の説明】
【００６８】
ＧＲ1  第１レンズ群
ＧＲ2  第２レンズ群
ＧＲ3  第３レンズ群
ＧＲ4  第４レンズ群
Ｐ1，Ｐ2  像反転プリズム
ＦＳ  視野枠
ＳＲ  接眼レンズ
Ｓ  球欠的像面
Ｔ  子午的像面                                                                                
【図１】
2009186675.tif 000004
【図２】
2009186675.tif 000005
【図３】
2009186675.tif 000006
【図４】
2009186675.tif 000007